(57)【要約】【課題】壁紙等インテリアの色とも良く適合し、室外側が明るい場合であっても明るい窓辺等を形成することが可能な開口部装置を提供する。【解決手段】室外側のアルミ形材とアルミ形材とは別体に形成された室内側部材とを備えた開口部装置において、アルミ形材の室内側に面する部分の明度をＡ、室内側部材の室内側に面する部分の明度をＢとするとき、２＜（Ｂ−Ａ）＜４となるように各部材の明度を設定する。【選択図】      図１
2004211506.tif 000002
【特許請求の範囲】
【請求項１】
室外側のアルミ形材と、前記アルミ形材とは別体に形成された室内側部材とを備えた開口部装置であって、
前記アルミ形材の室内側からの可視部分の明度をＡ、前記室内側部材の室内側からの可視部分の明度をＢとするとき、
２＜（Ｂ−Ａ）＜４
となるように前記各部材の明度が設定されている開口部装置。
【請求項２】
室外側のアルミ形材と、前記アルミ形材と同系色に彩られるとともに別体に形成された室内側部材とを備えた開口部装置であって、
前記アルミ形材の室内側からの可視部分の明度をＡ、前記室内側部材の室内側からの可視部分の明度をＢとするとき、
２＜（Ｂ−Ａ）＜３
となるように前記各部材の明度が設定されている開口部装置。
【発明の詳細な説明】
【０００１】
【発明の属する技術分野】
本発明は、室外側のアルミ形材と、該アルミ形材とは別体に形成された室内側部材とを備えた開口部装置にする。
【０００２】
【従来の技術】
近年、建具には高い気密性、水密性、遮音性、断熱性等が求められるようになり、これらの要求を満たすために、特に窓として利用される建具の多くでは、建物に枠体を取り付け、この枠体に障子材を取り付けた構造となっている。本明細書では、枠体と当該枠体に取り付けられた障子材とを備えた建具を、「開口部装置」という。
【０００３】
上記の枠体は、一般に、アルミニウム等の金属によって形成され、障子材を構成する縦框および横框（桟）は、金属、木、または樹脂によって形成される。気密性および水密性を考慮すると、障子材の框は金属製とすることが望まれるが、金属は熱伝導率が高いため、障子材の框を金属製にすると開口部装置の断熱性が比較的低くなる。また、結露が生じ易くなる。
【０００４】
開口部装置の気密性および水密性を高く維持したまま当該開口部装置の断熱性および防露性を高める一法として、金属製の框本体の室内側見付面を覆うようにして、当該框本体に樹脂材を装着するという方法がある。
【０００５】
この方法で使用される樹脂材は、金属で形成されたサッシの色と通常同一色にされている。サッシは建物外装デザインとのつり合い上、その色は低い明度（暗い色）に設定されることが多く、したがって、樹脂材も低い明度に設定されることが多い。一方、樹脂材は室内側から見た場合には室内のインテリアを構成する壁紙等に隣接して視認されることになる。
【０００６】
このような、開口部装置の明度に着目した発明として、特許文献１には、室内の開閉体及びその周りに同系色が用いられている配色構造において、開閉体の開き状態で外部に露出し、かつ閉じ状態で隠れる所定部分に、他の部分と所定以上の明度差を持ちかつ同系色の色面を設けたことを特徴とする室内における開閉体の配色構造が開示されている。
【特許文献１】
特開平１０−２３８２２７
【０００７】
【発明が解決しようとする課題】
しかし、室内側のインテリアを構成する壁紙等は通常明度の高い色（明るい色）で構成されてことが多いため、上記樹脂材の色はこれら壁紙等とのつり合いに欠け、不自然に目立ってしまうという問題があった。また、室外側が室内側より明るい場合、樹脂材の部分が薄暗くなってしまい、外観上の快適さに欠けるという問題もあった。
【０００８】
そこで、本発明は、壁紙等インテリアの色とも良く適合し、室外側が明るい場合であっても明るい窓辺等を形成することが可能な開口部装置を提供することを課題とする。
【０００９】
【課題を解決するための手段】
以下、本発明について説明する。なお、本発明の理解を容易にするために添付図面の参照符号を括弧書きにて付記するが、それにより本発明が図示の形態に限定されるものではない。
【００１０】
請求項１の発明は、室外側のアルミ形材（４０、５０、２３、２４、３３、３４）とアルミ形材とは別体に形成された室内側部材（７１、７２、７３、７４、６１、６２、６３、６４）とを備えた開口部装置（１００）であって、アルミ形材の室内側からの可視部分の明度をＡ、室内側部材の室内側からの可視部分の明度をＢとするとき、
２＜（Ｂ−Ａ）＜４
となるように各部材の明度が設定されている開口部装置を提供して前記課題を解決する。ここに「明度」とは、物体表面の相対的な明暗の属性で、それを尺度化したものをいい、一般にマンセル明度といわれるものをさす。マンセル明度はマンセル色空間の中心軸で、最上部に明度１０の白を、下に明度０の黒を置き、その間に知覚的に等歩度になるように各明るさの灰色を配置してゆくものである。有彩色の明るさもこのスケールに準じる。
【００１１】
この発明によれば、室内側からの視点に関し、通常高い明度に設定される室内側の壁紙等と、逆に低い明度に設定されることの多いアルミ形材との間に、両者の中間の明度値を持つ室内側部材が配置されるので、各部材間の明度差が緩和され、室内側から開口部を介して外部方向へ快適な視界を得ることができる。また、室内側部材の室内側に面する部分の明度Ｂと、アルミ形材の室内側に面する部分の明度Ａとの差（Ｂ−Ａ）の下限値２、及び上限値４は、多くのモニターを使用して得た官能試験結果の平均値であるので、この色相差の数値範囲により、大半の人の視覚に快適さ感じさせることが可能である。
【００１２】
請求項２の発明は、室外側のアルミ形材（４０、５０、２３、２４、３３、３４）とアルミ形材と同系色に彩られるとともに別体に形成された室内側部材（７１、７２、７３、７４、６１、６２、６３、６４）とを備えた開口部装置（１００）であって、アルミ形材の室内側からの可視部分の明度をＡ、室内側部材の室内側からの可視部分の明度をＢとするとき、
２＜（Ｂ−Ａ）＜３
となるように各部材の明度が設定されている開口部装置を提供して前記課題を解決する。ここに「同系色」とは、マンセル４０色相環において、当該色に最も近い色相及びその色相の両側に隣接する色相（ＪＩＳ  Ｚ  ８７２１（１９９３）３．１  「色相の表示方法」において表される数字で±２．５、すなわち５．０の幅を持つ。）をいう。
【００１３】
この発明によれば、請求項１の発明と同様に、室内側からの視点に関し、通常高い明度に設定される室内側の壁紙等と、逆に低い明度に設定されることの多いアルミ形材との間に、両者の中間の明度値を持つ室内側部材が配置されるので、各部材間の明度差が緩和され、室内側から開口部を介して外部方向へ快適な視界を得ることができる。また、室外側のアルミ形材と室内側部材とが同系色に彩られている場合、の室内側に面する部分の明度Ｂと、アルミ形材の室内側に面する部分の明度Ａとの差（Ｂ−Ａ）の下限値は２、上限値は３となる。すなわち室外側のアルミ形材と室内側部材とが同系色に彩られている場合、明度差の上限値は小さくなる。これら下限値及び上限値は多くのモニターを使用して得た官能試験結果の平均値であるので、室外側のアルミ形材と室内側部材とが同系色に彩られている場合、この色相差の数値範囲により、大半の人の視覚に快適さ感じさせることが可能である。
【００１４】
本発明のこのような作用及び利得は、次に説明する実施の形態から明らかにされる。
【００１５】
【発明の実施の形態】
以下本発明を図面に示す実施形態に基づき説明する。
＜１＞  第一実施形態
図１は、本発明の第一実施形態にかかる開口部装置の垂直断面を表す図である。図において、紙面左側が室外側を、右側が室内側を示している。この開口部装置１００は、アルミニウム製のサッシ枠１に、網戸１０と、外障子２０と、内障子３０とを備えている。なお、図においては、網戸１０、外障子２０、及び内障子３０の中央部は切断されて図示が省略されている。
【００１６】
サッシ枠１は、上枠４０、下枠５０、及び不図示の２つの横枠により矩形状に結合して形成されている。上枠４０には、下方に延設された３本の上レール４１、４２、４３が設けられている。一方、下枠５０には上方に延設された３本の下レール５１、５２、５３が設けられている。
【００１７】
網戸１の上端部にはレール受容れ部１１、下端部には戸車１２が取り付けられている。レール受容れ部１１の受容れ溝には上レール４１が差し入れられており、戸車１２は下レール５１上に載置されている。このような構成を取ることにより、網戸１０は、上下のレール４１、５１に沿って、紙面手前側から奥側の方向に移動自在に設けられている。
【００１８】
また、外障子２０の上端部にはフレ止め材２１、下端部には戸車２２が取り付けられている。フレ止め材２１の溝には上レール４２が差し入れられており、戸車２２は下レール５２上に載置されている。このような構成を取ることにより、外障子２０も、上下のレール４２、５２に沿って、紙面手前側から奥側の方向に移動自在に設けられている。
【００１９】
さらに、内障子３０の上端部にはフレ止め材３１、下端部には戸車３２が取り付けられている。フレ止め材３１の溝には上レール４３が差し入れられており、戸車３２は下レール５３上に載置されている。このような構成を取ることにより、内障子３０も、上下のレール４３、５３に沿って、紙面手前側から奥側の方向に移動自在に設けられており、外障子２０と内障子３０とは一組の引き違い障子を構成している。
【００２０】
外障子２０は、アルミニウムにて形成される、上桟２３、下桟２４、及び不図示の２つの縦框を結合して形成した障子枠と、障子枠にグレージングチャンネル２５、２６を介して取り付けられた２枚の複層ガラスパネル２７、２８とを備えている。２枚の複層ガラスパネル２７、２８の間にはスペーサ２９ａ、２９ｂが配置され、これらガラスパネルの間に空気層が形成されている。
【００２１】
上桟２３、下桟２４、召し合せ部を構成しない方の縦框の室内側面には、断熱及び結露防止等の目的で樹脂材６１、６２（縦框に取り付けられた樹脂材は図面に現れていない。）が上桟２３等のアルミニウム表面を覆うように取り付けられている。
【００２２】
内障子３０も、アルミニウムにて形成される、上桟３３、下桟３４、及び不図示の２つの縦框を結合して形成した障子枠と、障子枠にグレージングチャンネル３５、３６を介して取り付けられた２枚の複層ガラスパネル３７、３８とを備えている。２枚の複層ガラスパネル３７、３８の間にはスペーサ３９ａ、３９ｂが配置され、これらガラスパネルの間に空気層が形成されている。
【００２３】
上桟３３、下桟３４、及び２つの縦框の室内側面には、断熱及び結露防止等の目的で樹脂材６３、６４（縦框に取り付けられた樹脂材は図面に現れていない。）が上桟３３、下桟３４、及び２つの縦框のアルミニウム表面を覆うように取り付けられている。
【００２４】
上枠４０は、外枠部材４０ａと内枠部材４０ｂとが断熱性のブリッジ材４４により連結されている。外枠部材４０ａの下面側には、アルミニウムの化粧板７１が取り付けられている。また、内枠部材４０ｂの下面側には、アングル材７２が取り付けられている。
【００２５】
下枠５０は、外枠部材５０ａと内枠部材５０ｂとが断熱性のブリッジ材５４により連結されている。外枠部材５０ａの上面側には、アルミニウムの化粧板７３が取り付けられている。また、内枠部材５０ｂの上面側には、アングル材７４が取り付けられている。
【００２６】
本実施形態にかかる開口部装置１００において、アルミニウムにて形成されている上枠４０、下枠５０、各障子２０、３０の上下の桟２３、２４；３３、３４および縦框（図示されていない）は黒または暗い色（明度３以下）に色づけられている。図１においてはこれらの部分は黒く塗りつぶして示されている。
【００２７】
一方、本実施形態にかかる開口部装置１００において、アルミニウムにて形成されている化粧板７１、７３及びアングル材７２、７４、並びに各障子の桟２３、２４；３３、３４及び框のアルミニウム表面を覆うように取り付けられている樹脂材６１、６２；６３、６４の明度は上記黒または暗い色の明度より＋２〜＋４の範囲で明るく設定されている。これらの部分は図１においてハッチングが付されて示されている。
【００２８】
これらについて図２を参照しつつ詳しく説明する。図２は、室内側から開口部を通して室外側を見た場合の開口部周辺の明度を概念的に示す図である。（ａ）は従来の開口部装置９９を示し、（ｂ）は本発明にかかる開口部装置１００を示している。図２（ａ）、及び（ｂ）において、符号８１ａ、８１ｂで示される室内側のインテリアを構成する壁紙等は、通常、白またはそれに近い明度の高い色が付されている。一方アルミニウムで形成されたサッシ材８３ａ、８３ｂは、明度の低い色がつけられている。室内側からの視線において、壁紙等８１ａとサッシ材８３ａとの間に位置する枠部材内側、樹脂材等（図２において符号８２ａで示される部分）の色は、従来サッシ材８３ａの色と同一にされていた（（ａ）参照）が、本発明においてはサッシ材８３ｂの色より明度値＋２〜＋４の範囲に設定されている（図２（ｂ）において符号８２ｂで示される部分）。したがって、暗い色のサッシ材８３ｂから明るい色の壁紙等８１ｂに至る途中の部分である符号８２ｂで示されるエリアの明度が両者の間の値を取るので、室内側から開口部を経て室外に至る視線において、各エリアの明度が急激に変化することがないので、見る者に快適な感覚を与えることができる。
【００２９】
なお、室外側のアルミ形材の室内側からの可視部分（アルミニウムにて形成されている上枠４０、下枠５０、各障子２０、３０の上下の桟２３、２４；３３、３４および縦框（図示されていない））と、室内側部材の室内側からの可視部分（アルミニウムにて形成されている化粧板７１、７３及びアングル材７２、７４、並びに各障子の桟２３、２４；３３、３４及び框のアルミニウム表面を覆うように取り付けられている樹脂材６１、６２；６３、６４）とが同系色の場合、両者の明度の差は＋２〜＋３の範囲に設定されればよい。すなわち、両者が同系色の場合、人が快適と感じる両者の明度差の範囲は、異系色の場合より小さなものとなる。
【００３０】
＜２＞  第二実施形態
図３は、本発明の第二実施形態にかかる開口部装置の垂直断面を表す図である。この開口部装置２００でも、アルミニウム製のサッシ枠２０１に網戸２１０と外障子２１１と内障子２１３とが引違い自在に設けられている。
【００３１】
アルミニウム製のサッシ枠２０１は、上枠２０３と下枠２０５とを備え、これら上枠２０３と下枠２０５とを、不図示の二つの縦枠２０７、２０９で略矩形状に結合して構成されている。各枠２０３、２０５、２０７、２０９は、建物の室外側に配置されるアルミニウム製の外側枠部材２０３ａ、２０５ａ、２０７ａ、２０９ａ（外枠部材２０７ａ、及び２０９ａは図面に現れていない。）と、建物の室内側に配置される同じくアルミニウム製の内側枠部材２０３ｂ、２０５ｂ、２０７ｂ、２０９ｂ（内枠部材２０７ｂ、及び２０９ｂは図面に現れていない。）とで構成され、これらの外側枠部材と内側枠部材とは断熱性を有するブリッジ材２２１で結合されている。
【００３２】
サッシ枠２０１には、図３に示すように、室外側から網戸２１０、外障子２２０、内障子２３０の順に設けられている。
【００３３】
外障子２２０は、室外側と室内側とそれぞれに上桟２２１ａ、２２１ｂ、下桟２２２ａ、２２２ｂ並びに不図示の右縦框２２３ａ、２２３ｂ、および左縦框２２４ａ、２２４ｂを備えている。そして、上桟２２１ａと２２１ｂとはブリッジ材２２３にて連結されている。また、下桟２２２ａと２２２ｂとは、二つのブリッジ材２２４および２２５により連結されている。さらに不図示の右縦框２２３ａ、および２２３ｂ、並びに、左縦框２２４ａ、および２２４ｂもそれぞれ不図示のブリッジ材により連結されている。
【００３４】
一方、内障子２３０は、室外側と室内側とそれぞれに上桟２３１ａ、２３１ｂ、下桟２３２ａ、２３２ｂ並びに不図示の右縦框２３３ａ、２３３ｂ、および左縦框２３４ａ、２３４ｂを備えている。そして、上桟２３１ａと２３１ｂとはブリッジ材２３３にて連結されている。また、下桟２３２ａと２３２ｂとは、１つのブリッジ材２３４により連結されている。さらに不図示の右縦框２３３ａ、および２３３ｂ、並びに、左縦框２３４ａ、および２３４ｂもそれぞれ不図示のブリッジ材により連結されている。
【００３５】
本実施形態にかかる開口部装置２００において、アルミニウムにて形成されている外側枠部材２０３ａ、２０５ａ、各障子２２０、２３０の室外側に面している上桟２２１ａ、２３１ａ、及び下桟２２２ａ、２３２ａ、並びに不図示の両縦框の室外側に面している部分２２３ａ、２２４ａは黒または暗い色（明度３以下）に色づけられている。図３においてはこれらの部分は黒く塗りつぶして示されている。
【００３６】
一方、本実施形態にかかる開口部装置２００において、アルミニウムにて形成されている室内側部材２０３ｂ、２０５ｂ、各障子２２０、２３０の室内側に面している上桟２２１ｂ、２３１ｂ、及び下桟２２２ｂ、２３２ｂ、並びに不図示の両縦框の室外側に面している部分２２３ｂ、２２４ｂの明度は上記黒または暗い色の明度より＋２〜＋４の範囲で明るく設定されている。これらの部分は図３においてハッチングが付されて示されている。したがって本実施形態においても図２で説明した効果を奏することが可能である。両者が同系色である場合にも上記で説明したように同様の効果を奏することが可能である。
【実施例】
（明度差上限値）
【００３７】
開口部装置室外側アルミ形材の室内側からの可視部分と、室内側部材の室内側からの可視部分との明度差をどの程度にまで設定すべきかについて、モニター試験を実施した。試験は、開口部装置室外側アルミ形材の室内側からの可視部分野色を想定した基準色パネルに対して、室内側部材の室内側からの可視部分色を想定した同一色相で明度を１〜９まで順に変化させた比較色パネル９枚をそれぞれ前記基準色パネルの横に配置して、６名のモニターにそれぞれの基準色パネルと比較色パネルとの組み合わせが美的にあっているかどうかについて、点数評価させた。点数「５」は「あっている」、「３」は「どちらともいえない」、「１」は「あっていない」評価、「４」及び「２」はそれらの中間的評価に対応する。その結果を表１〜６に示す。
【００３８】
表１〜３は基準色としてＮ１（ブラック）、表４〜６は基準色として、７．５ＹＲ  ３／１（オータム近似色：アルマイト処理サッシの表面色を想定）を採用した。また比較色として、各表左から第２欄に示す色彩を用いた。また各比較色に対するモニターの評価点合計を右欄に示し、さらにそれらの合計を右下隅欄に示した。
【００３９】
また図４は、表１〜３における、室内側部材の室内側からの可視部分の色の明度と、各モニターがその色に下した評価点の合計との関係をグラフ化したものである。また図５は、表４〜６における室内側部材の室内側からの可視部分の色の明度と、各モニターがその色に下した評価点の合計との関係をグラフ化したものである。
【表１】
2004211506.tif 000003
【表２】
2004211506.tif 000004
【表３】
2004211506.tif 000005
【表４】
2004211506.tif 000006
【表５】
2004211506.tif 000007
【表６】
2004211506.tif 000008
【００４０】
表１〜３、および図４から明らかなように、基準色がＮ１（ブラック：明度１）の場合、比較色の明度５、すなわち基準色と比較色の明度差４の近傍でモニターの評価点合計値が急激に変動しており、この明度差を上限であると判断した。
【００４１】
一方、表４〜６、および図５から明らかなように、基準色が７．５ＹＲ  ３／１（オータム系近似色：明度３）の場合、比較色の明度６、すなわち基準色と比較色の明度差３の近傍でモニターの評価点合計値が急激に変動しており、この明度差を上限であると判断した。
【００４２】
（明度差下限値）
明度差の下限値は以下のような方法にて判定した。すなわち、開口部装置室外側アルミ形材の室内側からの可視部分と、室内側部材の室内側からの可視部分との明度差を＋１〜１ずつ拡大してゆき、各モニターがどの様に感じるかを聞き取り調査した。この結果、開口部装置室外側アルミ形材の室内側からの可視部分と、室内側部材の室内側からの可視部分との明度差が＋１程度であると、消費者の立場からすると、製造者が開口部の色あわせを間違って行ったものと勘違いする場合があることが判明した。このような消費者の勘違いを避けるための明度差は＋２あれば十分であることが明らかになった。すなわち、開口部装置室外側アルミ形材の室内側からの可視部分と、室内側部材の室内側からの可視部分との明度差を＋２以上とすれば、消費者は開口部装置の製造者がデザイン上の意図を持って両者の明度に差をつけていることを認識できる。
【００４３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。例えば以下に示す変形例にかかる開口部装置は当然に本発明の技術的範囲に属するものである。
【００４４】
＜３＞  変形例
上記においては引き違い障子を例にとって本発明を説明したが、本発明はこれに限定されるものではなく、扉や辷り出し戸においても適用が可能である。
【００４５】
【発明の効果】
以上に説明したように、請求項１の発明によれば、室内側からの視点に関し、通常高い明度に設定される室内側の壁紙等と、逆に低い明度に設定されることの多いアルミ形材との間に、両者の中間の明度値を持つ室内側部材が配置されるので、各部材間の明度差が緩和され、室内側から開口部を介して外部方向へ快適な視界を得ることができる。また、室内側部材の室内側に面する部分の明度Ｂと、アルミ形材の室内側に面する部分の明度Ａとの差（Ｂ−Ａ）の下限値２、及び上限値４は、多くのモニターを使用して得た官能試験結果の平均値であるので、この色相差の数値範囲により、大半の人の視覚に快適さ感じさせることが可能である。
【００４６】
また、請求項２の発明によれば、請求項１の発明と同様に、室内側からの視点に関し、通常高い明度に設定される室内側の壁紙等と、逆に低い明度に設定されることの多いアルミ形材との間に、両者の中間の明度値を持つ室内側部材が配置されるので、各部材間の明度差が緩和され、室内側から開口部を介して外部方向へ快適な視界を得ることができる。また、室外側のアルミ形材と室内側部材とが同系色に彩られている場合、の室内側に面する部分の明度Ｂと、アルミ形材の室内側に面する部分の明度Ａとの差（Ｂ−Ａ）の下限値は２、上限値は３となる。すなわち室外側のアルミ形材と室内側部材とが同系色に彩られている場合、明度差の上限値は小さくなる。これら下限値及び上限値は多くのモニターを使用して得た官能試験結果の平均値であるので、室外側のアルミ形材と室内側部材とが同系色に彩られている場合、この色相差の数値範囲により、大半の人の視覚に快適さ感じさせることが可能である。
【図面の簡単な説明】
【図１】第一実施形態の開口部装置を示す垂直断面図である。
【図２】開口部における明度差を概念的に示す図である。
【図３】第二実施形態の開口部装置を示す垂直断面図である。
【図４】モニター試験におけるパネルの配列を示す図である。
【図５】表１〜３における、明度と各モニターの評価点の合計との関係をグラフ化したものである。
【図６】表４〜６における、明度と各モニターの評価点の合計との関係をグラフ化したものである。
【符号の説明】
２３、３３  上桟（室外側のアルミ形材）
２４、３４  下桟（室外側のアルミ形材）
４０  上枠（室外側のアルミ形材）
５０  下枠（室外側のアルミ形材）
７１、７３  化粧板（室内側部材）
６１〜６４  樹脂材（室内側部材）
７２、７４  アングル材（室内側部材）
１００  開口部装置
【図１】
2004211506.tif 000009
【図２】
2004211506.tif 000010
【図３】
2004211506.tif 000011
【図４】
2004211506.tif 000012
【図５】
2004211506.tif 000013
【図６】
2004211506.tif 000014